(57)【特許請求の範囲】
【請求項１】
車両に固定されるトレイ形状のハンドルベースに操作ハンドルを回転操作自在に連結した車両のインサイドハンドル装置であって、
前記ハンドルベースには、対向側壁部に一対のノブ用回転軸形成部を、底壁部にノブ用アクセス開口を備えたロックノブ配置領域が前記操作ハンドルに隣接して形成されるとともに、
前記ハンドルベースには、車両への固定状態において、前記ノブ用アクセス開口、およびノブ用回転軸形成部を外部の視線から遮るカバー部材が装着される車両のインサイドハンドル装置。
【請求項２】
前記カバー部材には、前記ノブ用回転軸形成部に係止してハンドルベースからの離脱方向への移動を規制するベース係止部が設けられる請求項１記載の車両のインサイドハンドル装置。
【請求項３】
前記カバー部材には、前記ノブ用アクセス開口内に張り出すノブ用回転規制ストッパに係止してハンドルベースからの離脱方向への移動を規制するベース係止部が設けられる請求項１記載の車両のインサイドハンドル装置。
【請求項４】
前記カバー部材は、前記操作ハンドルの回転中心軸方向のほぼ中心位置において、前記ノブ用アクセス開口内に張り出すノブ用回転規制ストッパ上に支承される請求項１、２または３記載の車両のインサイドハンドル装置。
【発明の詳細な説明】
【技術分野】
【０００１】
本発明は、車両のインサイドハンドル装置に関するものである。
【背景技術】
【０００２】
従来、車両のインサイドハンドル装置としては、特許文献１に示すように、ハンドルベースに操作ハンドルとロックノブとを回転自在に連結されたものが知られている。
【０００３】
この従来例において、ハンドルベースはフランジ部を境界として第１、第２のチャンバーが区画されており、操作ハンドルは一側壁に突設されたハンドルボスをハンドルベースの内周壁に挿入するとともに、対向側壁の開口にフランジ部の第１のボスを挿通させて保持され、ロックノブは、一側壁を上記第１のボスに、対向壁面をハンドルベースに突設される第２のボスに嵌合させて連結される。
【０００４】
また、第１、第２のチャンバーは、ドア内空間に開放されており、ロックノブは、コネクター部分をドア内空間に臨ませた状態で装着されてラッチ装置に連結される。
【先行技術文献】
【特許文献】
【０００５】
【特許文献１】特表２０１３-５３６３４１号公報
【発明の概要】
【発明が解決しようとする課題】
【０００６】
しかし、上述した従来例において、ロックノブを使用しない仕様のインサイドハンドル装置を設定する場合には、ロックノブを取り外すだけではロックノブを連結するためのボス、あるいはチャンバーが外部に露出してしまうため、インサイドハンドル装置の主要な部品であるハンドルベースを新たに設定する必要があるという問題がある。
【０００７】
本発明は、以上の欠点を解消すべくなされたものであって、仕様が異なってもハンドルベースを共用化することのできる車両のインサイドハンドル装置の提供を目的とする。
【課題を解決するための手段】
【０００８】
本発明によれば上記目的は、
車両に固定されるトレイ形状のハンドルベース１に操作ハンドル２を回転操作自在に連結した車両のインサイドハンドル装置であって、
前記ハンドルベース１には、対向側壁部に一対のノブ用回転軸形成部３を、底壁部にノブ用アクセス開口４を備えたロックノブ配置領域５が前記操作ハンドル２に隣接して形成されるとともに、
前記ハンドルベース１には、車両への固定状態において、前記ノブ用アクセス開口４、およびノブ用回転軸形成部３を外部の視線から遮るカバー部材６が装着される車両のインサイドハンドル装置を提供することにより達成される。
【０００９】
車両のインサイドハンドル装置は、操作ハンドル２を回転操作自在に連結するハンドルベース１を有する。ハンドルベース１には、操作ハンドル２に隣接してロックノブ配置領域５が設けられる。ロックノブ配置領域５は、ロックノブ９を装着した仕様のインサイドハンドル装置を製造する際にロックノブ９を装着するためのスペースを確保するために設けられ、さらにロックノブ配置領域５には、ロックノブ９を回転自在に保持するためのノブ用回転軸形成部３が形成される。
【００１０】
上記ハンドルベース１に形成されたノブ用回転軸形成部３を外部の視界から遮る遮蔽部を備えたカバー部材６を設定することにより、ロックノブ９仕様からロックノブ９を取り外してカバー部材６を装着するだけでロックノブ９のないインサイドハンドル装置を形成することができ、また、この状態からカバー部材６を取り去ってノブ用回転軸形成部３にロックノブ９を装着するだけでロックノブ９仕様のインサイドハンドル装置とすることができる。
【００１１】
この結果、コスト的に大きな割合を占める主要なハンドルベース１を異なった仕様で共用することが可能になるために、別途製造金型を制作したり、あるいは在庫管理をする等の必要がなくなり、製造コストを低減させることが可能になる。
【００１２】
前記カバー部材６は、ロックノブ９装着仕様の装置からロックノブ９を取り外した際の外観的変化、すなわち、ロックノブ９を装着するためのノブ用回転軸形成部３、あるいはノックノブの端部をドア内に導くためのノブ用アクセス開口４を覆い隠す領域にのみ装着したり、あるいは、取り付け穴１ｅを含むハンドルベース１の底壁部のほぼ全面を形成するようにしてもよい。
【００１３】
また、上記目的を達成するための本発明の他の態様として、
前記カバー部材６には、前記ノブ用回転軸形成部３に係止してハンドルベース１からの離脱方向への移動を規制するベース係止部７が設けられる車両のインサイドハンドル装置を構成することができる。
【００１４】
本発明において、カバー部材６は、適数のベース係止部７をハンドルベース１に係止させることにより該ハンドルベース１に装着され、ベース係止部７の一は、ロックノブ９を装着した仕様への転用時にロックノブ９を連結するための軸形成部となるノブ用回転軸形成部３に係止する。
【００１５】
ノブ用回転軸形成部３は、軸状の突出部であっても、孔状であってもよく、これに対応するベース係止部７は、ノブ用回転軸形成部３が突出部である場合には、これに嵌合可能な孔、あるいはＣリング形状に形成され、ノブ用回転軸形成部３が孔状に形成さえっる場合には、これに嵌合可能な突起形状に形成される。
【００１６】
また、ノブ用回転軸形成部３は対向位置に一対配置されるが、ベース係止部７は双方に係止させても、あるいはいずれか一方のみに係止させてもよい。
【００１７】
さらに、ノブ用回転軸形成部３は、壁面等に突設、あるいは凹設以外、操作ハンドル２の回転軸を使用してもよい。
【００１８】
上記カバー部材６は、上記ノブ用回転軸形成部３に代えて、ノブ用アクセス開口４内に張り出し、ロックノブ９を装着した仕様への転用時にロックノブ９の回転ストロークを規制するためハンドルベース１に設けられるノブ用回転規制ストッパ８に係止することもできる。
【００１９】
以上のように、ロックノブ９仕様において必要となる部位をベース係止部７の係止先とすることにより、新たに係止部分を形成する必要がないために、構造が簡単になる。
【００２０】
また、上記目的を達成するための本発明の他の態様として、
前記カバー部材６は、前記操作ハンドル２の回転中心軸方向のほぼ中心位置において、前記ノブ用アクセス開口４内に張り出すノブ用回転規制ストッパ８上に支承される車両のインサイドハンドル装置を構成することができる。
【００２１】
貫通穴として形成されるノブ用アクセス開口４をカバー部材６により覆う場合、カバー部の剛性が低いと荷重をかけた際に容易に撓んでしまい、脆弱感が発生することがあるが、本発明において、カバー部材６のノブ用アクセス開口４を閉塞する部分の上下方向中心部を支承することにより装着状態においてカバー部の見掛けの剛性を高めることができるために、カバー部を押し付けた際の不自然な撓み等を完全に防止することが可能になる。
【００２２】
また、ノブ用アクセス開口４領域にカバー部材６の支承部を形成すると、ロックノブ９仕様において装着されたロックノブ９との干渉を考慮する必要があるが、ロックノブ９仕様のために設けられるノブ用回転規制ストッパ８をノブ用アクセス開口４領域の上下方向中心位置近傍まで張り出させ、このノブ用回転規制ストッパ８を支承部として利用すると、構造を簡単にすることができる。
【発明の効果】
【００２３】
本発明によれば、仕様が異なってもハンドルベースを共用化することのできるために、コスト低減を図ることができる。
【図面の簡単な説明】
【００２４】
【図１】本発明を示す図で、（ａ）は正面図、（ｂ）は裏面図である。
【図２】本発明を示す図で、（ａ）はカバー部材の組み付けを示す図、（ｂ）はカバー部材の斜視図である。
【図３】インサイドハンドル装置の断面図で、（ａ）は図１（ｂ）の３Ａ-３Ａ線断面図、（ｂ）は図１（ａ）の３Ｂ-３Ｂ線断面図である。
【図４】カバー部材の変形例を示す図で、（ａ）は裏面図、（ｂ）は裏面方向から見た斜視図、（ｃ）は図３（ａ）に対応する断面図である。
【図５】ロックノブ装着仕様のインサイドハンドル装置を示す図で、（ａ）は正面図、（ｂ）は裏面図である。
【図６】ロックノブ装着仕様のインサイドハンドル装置を示す図で、（ａ）はロックノブの組み付けを示す図、（ｂ）はロックノブの側面図、（ｃ）は第２カバーを示す側面図である。
【図７】インサイドハンドル装置の断面図で、（ａ）は図５（ｂ）の７Ａ-７Ａ線断面図、（ｂ）は図５（ｂ）の７Ｂ-７Ｂ線断面図である。
【発明を実施するための形態】
【００２５】
図１以下に示すように、インサイドハンドル装置は、ハンドルベース１と、ハンドルベース１に回転自在に連結される操作ハンドル２を有し、ハンドルベース１を図外のインナーパネルに固定することにより車両のドアに装着される。ハンドルベース１には、外周部と底壁部にインナーパネルへの取り付け穴１ａ、１ｅが形成され、ハンドルベース１は、取り付け穴１ｅ内を貫通するネジ部材によりドアパネルに固定される。
【００２６】
図１、２に示すように、操作ハンドル２は、ハンドルベース１の下半分の領域に配置されて回転軸２ａ周りに図１（ａ）に示す初期位置と、図１（ａ）において右側に示される操作ハンドル２の先端を紙面に対して手前側に引き出すようにして回転させた操作位置との間操作される（以下、本明細書において図１（ａ）の左側を「前方」、上側を「上方」、紙面側を「表面側」、反対側を「裏面側」とする）。
【００２７】
操作ハンドル２は、回転軸２ａ周りに巻装されるトーションスプリング２ｂにより初期位置側に付勢され、初期位置でのガタツキ等が防止される。
【００２８】
図２に示すように、操作ハンドル２は裏面側一端部がドア内に挿入されており、ドア内に配索されるケーブル装置１０が連結される。ケーブル装置１０の他端はドア内に固定されたドアラッチ装置１１に連結されており、操作ハンドル２を操作位置まで回転操作すると、ドアラッチ装置１１が作動してラッチが解除され、ドアの開放操作が可能になる。
【００２９】
また、上記ハンドルベース１の上半分の領域、すなわち、上記操作ハンドル２に隣接した領域にロックノブ配置領域５が形成される。ロックノブ配置領域５は、後述するように、ロックノブ９仕様のインサイドハンドル装置を製造する場合にロックノブ９を配置する領域であり、該ロックノブ配置領域５の境界には上記操作ハンドル２の回転軸２ａを保持するための隔壁１２が形成される。また、ロックノブ配置領域５の底壁には、ノブ用アクセス開口４が開設される。
【００３０】
図２、３に示すように、上記ロックノブ配置領域５には、ノブ用回転軸形成部３と、ノブ用回転規制ストッパ８とが配置される。ノブ用回転軸形成部３は、ロックノブ９仕様のインサイドハンドル装置においてロックノブ９の連結部を提供するもので、ロックノブ配置領域５の上部壁面と、隔壁１２の上端面から軸状の突出部を対向位置に突出させて形成される。
【００３１】
また、ノブ用回転規制ストッパ８は、ロックノブ９仕様におけるロックノブ９の初期回転位置側回転ストローク終端を決定するもので、隔壁１２から上方に突出し、ノブ用アクセス開口４内に張り出している。このノブ用回転規制ストッパ８は、ロックノブ９が初期回転位置に復帰する際の衝撃音を吸収するために、表面に柔軟な合成樹脂材料等から形成される緩衝体８ａが装着される。
【００３２】
さらに、ハンドルベース１には、合成樹脂材により形成されるカバー部材６が連結される。カバー部材６は、図２に示すように、ハンドルベース１の底壁部全域を覆う形状に形成されており、前端部はノブ用回転軸形成部３を避けるように正面方向に張り出すように折り曲げられる。また、カバー部材６の前端部には、ハンドルベース１のハンドル用アクセス開口を避けるための切欠６ａが形成され、ノブ用アクセス開口４にほぼ対応する開口閉塞部６ｂが形成される。
【００３３】
上記カバー部材６の裏面にはベース係止部７が形成される。本例においてベース係止部７は、カバー部材６の前後端部、および中間部に各々設けられており、後端部のベース係止部７は、先端部に係止突部７ａを後方に向けて突設させたフック形状に形成される。
【００３４】
また、中間部のベース係止部７は、上縁部に沿って配置され、上方に向けて突出した突部７ｂを備えてフック形状に形成される。
【００３５】
これに対し、前端部のベース係止部７は、カバー部材６の開口閉塞部６ｂの上下中心位置近傍に長手方向に沿って立設される薄板部７ｃに円形孔７ｄを開設して形成される。円形孔７ｄは、上記ノブ用回転軸形成部３が嵌合可能な径寸法に形成される。
【００３６】
また、薄板部７ｃはカバー部材６の装着時の押し込み操作により板厚方向に弾性変形可能であり、図示しないが、薄板部７ｃの先端、あるいは  対応するノブ用回転軸形成部３には、カバー部材６の押しこみ操作により薄板部７ｃに板厚方向の撓み力を付与するための傾斜面が形成される。
【００３７】
したがって本例において、カバー部材６は、図３（ａ）に示すように、まず、後端部のベース係止部７の係止突部７ａをハンドルベース１に形成された係止片１ｂに係止させた後、図３（ａ）における鎖線姿勢から係止片１ｂとの係止箇所を中心にして反時計回りに回転操作して行われる。
【００３８】
回転操作により、薄板部７ｃがノブ用回転軸形成部３に当接し、その後、さらに回転操作すると、薄板部７ｃが板厚方向、すなわち、上下方向に弾性変形してノブ用回転軸形成部３をかわし、その後の弾性復元に伴って円形孔７ｄがノブ用回転軸形成部３に係止し、同時に、中間部のベース係止部７は、ハンドルベース１に開設された係止孔１ｃに弾発係止される。
【００３９】
また、図３（ａ）に示すように、カバー部材６が装着された状態において、薄板部７ｃに形成された被支承部７ｅがノブ用回転規制ストッパ８上に載った状態となる。
【００４０】
以上のようにしてハンドルベース１にカバー部材６を装着した状態において、図１に示すように、表面側から見えるハンドルベース１の底壁部の領域は、カバー部材６によりほぼ全面にわたって覆われた状態となるために、後述するように、ロックノブ９仕様において必要となるノブ用アクセス開口４、あるいはノブ用回転軸形成部３、取り付け穴１ｅの外部への露出が防がれ、製品としての外観が確保される。
【００４１】
なお、以上において、ベース係止部７は、ノブ用回転軸形成部３が軸状の突出体として形成されるのに対応して円形孔７ｄとして形成される場合を示したが、ノブ用回転軸形成部３が孔状に形成され、ロックノブ９の凸状軸部に嵌合するように構成される場合には、突出軸状に形成される。
【００４２】
また、以上においては、カバー部材６は、ノブ用回転軸形成部３を利用してハンドルベース１に装着する場合を示したが、図４に示すように、ノブ用回転規制ストッパ８を利用して装着することができる。
【００４３】
本変形例におけるカバー部材６は、上述した実施の形態の薄板部７ｃに形成される円形孔７ｄに代えて、フック状の脚部７ｆが設けられ、ベース係止部７として使用される。脚部７ｆは、先端に後方に突出する係止突起７ｇを備えており、後端部のベース係止部７とハンドルベース１の係止片１ｂとの係止部を中心とした回転操作に伴ってノブ用回転規制ストッパ８に弾発係止する。
【００４４】
係止状態において、脚部７ｆに形成された被支承部７ｅはノブ用回転規制ストッパ８上に載り、荷重による撓みが規制される。
【００４５】
図５以下に、上述したロックノブ９のない仕様のインサイドハンドル装置のハンドルベース１、および操作ハンドル２をそのまま使用することにより製造したロックノブ９仕様のインサイドハンドル装置を示し、上記ハンドルベース１のロックノブ装着領域５にロックノブ９が、ハンドルベース１の底壁部に第２カバー１４が装着される。
【００４６】
第２カバー１４は、カバー部材６から開口閉塞部６ｂを取り除いた形状に形成され、カバー部材６と同様に形成されるベース係止部７を係止片１ｂ、係止孔１ｃ、および係止縁１ｄに係止させて装着される。
【００４７】
図６に示すように、ロックノブ９は、裏面方向に突設される２枚のヒンジ片９ａを有し、各ヒンジ片９ａに軸挿通孔９ｂが、一方のヒンジ片９ａにはケーブル連結孔１３が開設される。
【００４８】
このロックノブ９の装着は、ヒンジ片９ａをノブ用アクセス開口４に挿入するように、表面側から裏面側に押し込んで行われる。上記２枚のヒンジ片９ａの外壁間の間隔は、ハンドルベース１のノブ用回転軸形成部３の基端部間の間隔にほぼ等しく形成されており、ロックノブ９の押し込み操作に伴って、まず、ヒンジ片９ａがノブ用回転軸形成部３に当接し、この後、さらにロックノブ９を裏面側に押し込むと、ヒンジ片９ａが一旦弾性変形してノブ用回転軸形成部３をかわした後、軸挿通孔９ｂがノブ用回転軸形成部３に弾発係止してロックノブ９の装着作業が終了する。
【００４９】
ロックノブ９の装着状態において、ケーブル連結孔１３はノブ用アクセス開口４からドア内に進入しており、この状態で、図５（ｂ）に示すように、一端がドアラッチ装置１１に連結されるケーブル装置１０の他端を連結することができる。
【００５０】
連結状態において、ロックノブ９の初期回転位置は、ドアラッチ装置１１のロック状態、すなわち、操作ハンドル２の操作回転位置への操作によってもラッチ解除動作が行われない状態に対応しており、ロックノブ９を初期回転位置から時計周りにアンロック回転位置まで移動させると、ドアラッチ装置１１のロック状態が解除され、以後、操作ハンドル２の操作によりラッチ解除動作を行い、ドアに対する開放操作が可能になる。
【符号の説明】
【００５１】
１        ハンドルベース
２        操作ハンドル
３        ノブ用回転軸形成部
４        ノブ用アクセス開口
５        ロックノブ配置領域
６        カバー部材
７        ベース係止部
８        ノブ用回転規制ストッパ
【図１】
0006691435.tif 000002
【図２】
0006691435.tif 000003
【図３】
0006691435.tif 000004
【図４】
0006691435.tif 000005
【図５】
0006691435.tif 000006
【図６】
0006691435.tif 000007
【図７】
0006691435.tif 000008